(57)【要約】      （修正有）【課題】遠心フィルターを用いて流体の清浄システムを構成するにあたり、別のメインフィルターを使用せずに不純物の除去率を高めた遠心式循環清浄器システムを提供する。【解決手段】汚染流体が保存された第1タンク１１１;不純物を清浄する第1遠心フィルター１２０;第1遠心フィルターを循環する流体が保存される第2循環タンク１１２;前記第1タンクまたは第2循環タンクに保存された流体を流入し第1遠心フィルターに流動させる吸引ポンプ１３０;清浄した流体が保存される第3タンク１１３;汚染流体が第1タンクから排出された後、第1バルブ１５１と第4バルブ１５４を遮断し、第2バルブ１５２と第3バルブ１５３を開放して汚染流体が第1遠心フィルターと第2循環タンクを循環するようにし、汚染流体の清浄が完了すると第3バルブを遮断し、第4バルブを開放して清浄した流体が第3タンクに排出されるように制御するコントローラ１６０からなる。【選択図】図２
2014205132.tif 000002
【特許請求の範囲】
【請求項１】
汚染流体が保存された第1タンク;
前記流体を提供され、流体に含まれた不純物を清浄する第1遠心フィルター;
前記第1遠心フィルターによって清浄された後、第1遠心フィルターを再び循環する流体が保存される第2循環タンク;
前記第1タンクまたは第2循環タンクに保存された流体を流入し、第1遠心フィルターに流動させる吸引ポンプ;
前記第1遠心フィルターから排出される流体を流動させるドレンポンプ;
前記第1遠心フィルターと第2循環タンクを循環して清浄した流体が保存される第3タンク;
前記第1タンクと吸引ポンプを接続する流路に設けられ、流路を開閉する第1バルブ;
前記第2循環タンクと吸引ポンプを接続する流路に設けられ、流路を開閉する第2バルブ;
前記第2循環タンクとドレンポンプを接続する流路に設けられ、流路を開閉する第3バルブ;
前記ドレンポンプと第3タンクを接続する流路に設けられ、流路を開閉する第4バルブ;及び
前記吸引ポンプ、ドレンポンプ、第1乃至第4バルブを制御するが、所定の汚染流体が第1タンクから排出された後、第1バルブと第4バルブを制御して当該流路を遮断し、第2バルブと第3バルブを開放して汚染流体が第1遠心フィルターと第2の循環タンクを循環するようにし、第1遠心フィルターと第2循環タンクの循環によって汚染流体の清浄が完了すると、第3バルブを制御して当該流路を遮断し、第4バルブを開放して清浄した流体が、第3タンクに排出されるように制御するコントローラからなることを特徴とする遠心式循環清浄器システム。
【請求項２】
前記ドレンポンプと第3タンクを接続する流路に設けられ、第3タンクに流動する流体に含まれている不純物を清浄する第2遠心フィルターをさらに含み、
前記第2遠心フィルターは、
オイル流入口が形成されたハウジングと、前記ハウジング内で回転するロータアセンブリと、前記ロータアセンブリの回転を支持するようにハウジング内に設けられ、前記オイル流入口を介して流入するオイルが流動する流路が形成された軸と、前記ロータアセンブリと共に回転する構造を有し、前記軸を内部に収容する構造で配置されて軸から排出するオイルをロータアセンブリの内部に噴射するスピンドルチューブと、前記ロータアセンブリの内部空間を上部空間と下部空間に分離する分離膜と、前記分離膜に設けられて分離膜を介して下部空間に流動するオイル内の不純物をさらに清浄するポリエステル又はガラス繊維からなるフィルター層とからなることを特徴とする請求項１に記載の遠心式循環清浄器システム。
【請求項３】
汚染流体が保存された第1タンク;
流体を提供され、汚染流体に含まれた不純物を清浄する第1遠心フィルター;
前記第1タンクと第1遠心フィルターを接続する供給流路に設けられ、第1タンクの流体を第1遠心フィルターに流動させる吸引ポンプ;
前記第1遠心フィルターの排出側から延長した排出流路に設けられ、排出流路と供給流路を接続する循環流路を介して流体が第1遠心フィルターに循環されるように、第1遠心フィルターから排出される流体を流動させるサーキュレーションポンプ;
前記排出流路から分岐した分岐流路と接続され、第1遠心フィルターを循環して清浄した流体が保存される第2タンク;
前記分岐流路に設けられ、第2タンクに流動する流体に含まれた不純物をさらに清浄する第2遠心フィルター;
前記分岐流路に設けられ、分岐流路に流入する流体を第2遠心フィルターに流動させるドレンポンプ;
前記供給流路と循環流路の接続部に設けられた第1三方弁;
前記排出流路と分岐流路の接続部に設けられた第2三方弁;及び
流体が、予め設定された時間の間に、第1遠心フィルターを循環するように、前記第1三方弁と第2三方弁を制御するタイマーからなることを特徴とする遠心式循環清浄器システム。
【発明の詳細な説明】
【技術分野】
【０００１】
本発明は、遠心式循環清浄器システムに関し、より詳細には、清浄が求められる流体が遠心フィルターを2回以上通るように循環させ、流体に含まれる不純物の除去率を向上させた遠心式循環清浄器システムに関する。
【背景技術】
【０００２】
一般的に遠心フィルターは、流体の圧力によってローターが回転し、この時に発生する遠心力を利用して、汚染流体内の不純物を分離する方式のフィルターであって、主にエンジンや各種機械の故障を引き起こす不純物を、オイルから分離するために使用されている。
【０００３】
図1は、機関に遠心フィルターを適用し、エンジンオイル内の不純物を清浄するシステムの構造を示した図である。
【０００４】
機関の駆動時に発生する部品間の摩擦を最小限に抑えることによって、部品の損傷を防止し、機関の最適なパフォーマンスを具現するために、エンジンオイルが使用され、エンジンオイルは、常時、機関の内部を循環する間に汚染される。
【０００５】
一方、エンジンオイルは、サンプタンク（Sump  tank、10）に保存され、ポンプ20の駆動によって機関を循環し、エンジンオイルが循環する間にエンジンオイルに含まれた不純物を清浄するためのエレメントフィルター（Element  filter、30）と遠心フィルター40が設けられている。
【０００６】
上記のような構成を有する従来のろ過システムは、全流量の10％を遠心フィルター40にバイパスさせる構造であって、不純物のろ過のためのメインフィルター（エレメントフィルター）を別途に備えている。
【０００７】
しかし、メインフィルターとして使用されるエレメントフィルターは、使い捨てであるため、永続的に使用することができず、エレメントフィルターに付着した不純物の量が増加すればするほど、流体の流動抵抗を増加させるという問題点がある。
【先行技術文献】
【特許文献】
【０００８】
【特許文献１】韓国登録特許公報第1003524号（2010.12.30）
【特許文献２】韓国登録特許公報第0978345号（2010.08.27）
【発明の概要】
【発明が解決しようとする課題】
【０００９】
本発明は、上記のような問題点を考慮してなされたものであって、本発明の目的は、遠心フィルターを用いて流体の清浄システムを構成するにあたり、別のメインフィルターを使用せずに、流体が遠心フィルターを数回通るように循環させ、不純物の除去率を高めた遠心式循環清浄器システムを提供することにある。
【課題を解決するための手段】
【００１０】
上記のような目的を達成し、従来の問題点をなくすための課題を遂行する本発明は、汚染流体が保存された第1タンクと、前記流体を提供され、流体に含まれた不純物を清浄する第1遠心フィルターと、前記第1遠心フィルターによって清浄された後、第1遠心フィルターを再び通ることになる流体が保存される第2循環タンクと、前記第1タンクまたは第2循環タンクに保存された流体を流入し、第1遠心フィルターに流動させる吸引ポンプと、前記第1遠心フィルターから排出される流体を流動させるドレンポンプと、前記第1遠心フィルターと第2循環タンクを循環して清浄された流体が保存される第3タンクと、前記第1タンクと吸引ポンプを接続する流路に設けられ、流路を開閉する第１バルブと、前記第2循環タンクと吸引ポンプを接続する流路に設けられ、流路を開閉する第2バルブと、前記第2循環タンクとドレンポンプを接続する流路に設けられ、流路を開閉する第3バルブと、前記ドレンポンプと第3タンクを接続する流路に設けられ、流路を開閉する第4バルブと、前記吸引ポンプ、ドレンポンプ、第1,2,3,4バルブを制御するが、所定の汚染流体が第1タンクから排出された後、第1バルブと第4バルブを制御して、該流路を遮断し、第2バルブと第3バルブを開放して汚染流体が第1遠心フィルターと第2循環タンクを循環するようにし、第1遠心フィルターと第2循環タンクの循環によって汚染流体の清浄が完了すると、第3バルブを制御して該流路を遮断し、第4バルブを開放して清浄された流体が第3タンクに排出されるように制御するコントローラで構成されることを特徴とする遠心式循環清浄器システムを提供する。
【００１１】
また、本発明は、上記ドレンポンプと第3タンクを接続する流路に設けられ、第3タンクに流動する流体に含まれる不純物を清浄する第2遠心フィルターをさらに含み、前記第2遠心フィルターは、オイル流入口が形成されたハウジングと、前記ハウジング内で回転するロータアセンブリと、前記ロータアセンブリの回転を支持するようにハウジング内に設けられ、前記オイル流入口を介して流入するオイルが流動する流路が形成された軸と、前記ロータアセンブリと共に回転する構造を有し、前記軸を内部に収容する構造として配置され、軸から排出されるオイルをロータアセンブリの内部に噴射するスピンドルチューブと、前記ロータアセンブリの内部空間を上部空間と下部空間に分離する分離膜と、前記分離膜に設けられ、分離膜を介して下部空間に流動するオイル内の不純物をさらに清浄するポリエステルまたはガラス繊維からなるフィルター層を含む遠心式循環清浄器システムを提供する。
【００１２】
また、本発明は、汚染流体が保存された第1タンク、流体を提供され、汚染流体に含まれる不純物を清浄する第1遠心フィルターと、前記第1タンクと第1遠心フィルターを接続する供給流路に設けられ、第1タンクの流体を第1遠心フィルターに流動させる吸引ポンプと、前記第1遠心フィルターの排出側から延長した排出流路に設けられ、排出流路と供給流路を接続する循環流路を介して、流体が第1遠心フィルターに循環されるように、第1遠心フィルターから排出される流体を流動させるサーキュレーションポンプと、前記排出流路から分岐した分岐流路と接続され、第1遠心フィルターを循環して清浄された流体が保存される第2タンクと、前記分岐流路に設けられ、第2タンクに流動する流体に含まれた不純物をさらに清浄する第2遠心フィルターと、前記分岐流路に設けられ、分岐流路に流入する流体を第2遠心フィルターに流動させるドレンポンプと、前記供給流路と循環流路の連結部に設けられた第1三方弁と、前記排出流路と分岐流路の接続部に設けられた第2三方弁と、流体が予め設定された時間の間、第1遠心フィルターを循環するように、前記第1三方弁と第2三方弁を制御するタイマーからなることを特徴とする遠心式循環清浄器システムを提供する。
【発明の効果】
【００１３】
上記のような特徴を有する本発明によれば、別のメインフィルターを使用せずに遠心フィルターだけで不純物の除去率を向上させることができる効果がある。
【００１４】
また、第2遠心フィルターを用いて、特定のサイズの不純物をさらに清浄することにより、流体に含まれた不純物による機器の損傷をより確実に防止することができる効果がある。
【図面の簡単な説明】
【００１５】
【図１】機関に遠心フィルターを採用して、オイル内の不純物を清浄するシステムの構造を示す図である。
【図２】本発明の第1の実施形態に係る遠心式循環清浄器システムの構成図である。
【図３】本発明に係る第2遠心フィルターの構造を示す断面図である。
【図４】本発明によるフィルター層が分離膜に設けられた構造を示す断面図である。
【図５】本発明の第2の実施形態に係る遠心式循環式清浄システムの構成図である。
【発明を実施するための形態】
【００１６】
以下、本発明の望ましい実施例を添付の図面に関連づけて詳細に説明すると、次の通りである。本発明を説明するにあたって、関連した公知の機能や構成についての具体的な説明が、本発明の要旨を余計に不明確にすると判断された場合、その詳細な説明は省略する。
【００１７】
従来の遠心フィルターにおいては、メインフィルターは別途にして、全流量の10％のみをバイパスして浄化させる方式であったが、本発明は、遠心フィルターを用いて流体の不純物を清浄するにあたって、流体が一定時間または一定回数に遠心フィルターを循環し、繰り返して清浄されるようにすることによって、不純物の除去率を、使用機器に合わせて向上させることができるようにした特徴を有する。
【００１８】
図2は、本発明の第1の実施形態に係る遠心式循環清浄器システムの構成図を示している。本発明の第1の実施形態に係る遠心式循環清浄器システムは、第1タンク111、第1遠心フィルター120、第2循環タンク112、吸引ポンプ130、ドレンポンプ140、第3タンク113、第1バルブ151、第2バルブ152、第3バルブ153、第4バルブ154、コントローラ160からなる。
【００１９】
前記第1タンク111は、清浄が求められる汚染流体が保存される空間を提供する。
【００２０】
前記第1遠心フィルター120は、第1タンク111に保存された流体を供給されて清浄する。このような第1遠心フィルター120は、すでに広く使われている公知の遠心フィルターと同様の構成からなることから、第1遠心フィルターの構造の詳細な説明は省略する。
【００２１】
前記第2循環タンク112は、第1遠心フィルター120によって清浄された後、第1遠心フィルター120を再び循環する流体が保存される空間を提供する。
【００２２】
上記吸引ポンプ130は、第1タンク111または第2循環タンク112に保存された流体を流入して、第1遠心フィルター120に流動させる。
【００２３】
一方、第1タンク111と、第2循環タンク112には、吸引ポンプ130に流体を流動させるための流路181,182がそれぞれ形成され、このように第1及び第2タンク111,112にそれぞれ形成された両流路181,182は、合流した後、吸引ポンプ130と接続するように形成される。
【００２４】
上記ドレンポンプ140は、第1遠心フィルター120から排出される流体を、第2循環タンク112または第3タンク113に流動させ、第1遠心フィルター120の排出口から延長する流路183に設けられる。
【００２５】
一方、図2には、第1遠心フィルター120と吸引ポンプ130とドレンポンプ140が一つのモジュール100に統合された構造が示されているが、第1遠心フィルター120と吸引ポンプ130とドレンポンプ140を、それぞれ独立したモジュールとして形成することができれば、第1遠心フィルター120と吸引ポンプ130とドレンポンプ140を含め、残りの第1乃至第4バルブ151〜154と、第1乃至第3タンク111〜113とまでを合わせて1つのモジュールとして形成することもできる。このように、循環式清浄システムを構成する要素を集めてモジュール化することにより、取り外し式清浄システムを構成することができる。
【００２６】
前記第3タンク113は、第1遠心フィルター120を数回循環して、清浄が完了した流体が保存される空間を提供する。
【００２７】
前記第1バルブ151は、第1タンク111と吸引ポンプ130を接続する流路181に設けられ、コントローラ160によって駆動し、前記流路181を開閉する。
【００２８】
前記第2バルブ152は、第2循環タンク112と吸引ポンプ130を接続する流路182に設けられ、コントローラ160によって駆動し、前記流路182を開閉する。
【００２９】
前記第3バルブ153は、第2循環タンク112とドレンポンプ140を接続する流路184に設けられ、コントローラ160によって駆動し、前記流路184を開閉する。
【００３０】
前記第4バルブ154は、第3タンク113とドレンポンプ140を接続する流路185に設けられ、コントローラ160によって駆動し、前記流路185を開閉する。
【００３１】
前記コントローラ160は、吸引ポンプ130、ドレンポンプ140、第1乃至第4バルブ151〜154を制御する。
【００３２】
このようなコントローラ160は、最初に一定量の流体が第1タンク111から第1遠心フィルター120を介して第2循環タンク112に流入するように、第1バルブ151と第3バルブ153を開放し、第2及び第4バルブ152,154を遮断した状態で、吸引ポンプ130とドレンポンプ140を駆動させる。
【００３３】
一方、一定量の流体が第1タンク111から排出されると、コントローラ160は、第1及び第4バルブ151,154を遮断し、第2及び第3バルブ152,153を開放することになり、これにより、流体は、第1遠心フィルター120と第2循環タンク112を循環し、繰り返して清浄される。
【００３４】
このように、流体が、第1遠心フィルター120と第2循環タンク112を循環し、清浄する回数を増加させれば増加させるほど、不純物の除去率を高めることができるといえ、清浄時間が長くなる欠点がある。よって、流体が使用される機器において求められる流体の清浄度を考慮して、流体の清浄に求められる時間を事前実験に通じて導出し、導出された時間をコントローラ160に予め設定しておくことが望ましい。もちろん、流体が第1遠心フィルター120を循環する回数をコントローラ160に予め入力することもできるといえ、流体の循環回数は、検出が容易でないため、時間の制御を通じて流体の循環する回数を制御することが望ましい。
【００３５】
一方、設定された時間を経過し、流体の清浄が完了すると、コントローラ160は、第1乃至第3バルブ151〜153を遮断し、第4バルブ154は開放することにより、第2循環タンク112の流体を第3タンク113に流動させる。
【００３６】
このように、第3タンク113に流動する流体内の特定サイズ（4,6,7,10,15μｍ）の不純物をさらに清浄するための第2遠心フィルター170が、ドレンポンプ140と第3タンク113を接続する流路185に設けられる。
【００３７】
前記第2遠心フィルター170は、第1遠心フィルター120と同様に、公知の遠心フィルターと同様の構造を有するが、特定サイズの不純物をさらに清浄するためのフィルター層をさらに備えている。
【００３８】
前記フィルター層の説明のために、第2遠心フィルター170の構造を簡単に説明する。
【００３９】
図3は、本発明に係る第2遠心フィルターの構造を示す断面図を、図4は、本発明によるフィルター層が分離膜に設けられた構造を示す断面図を示している。
【００４０】
前記第2遠心フィルター170は、一般的な遠心フィルターと同様に、オイル流入口171aが形成されたハウジング171と、前記ハウジング171内で回転するロータアセンブリ172と、前記ロータアセンブリ172の回転を支持するようにハウジング171内に設けられ、前記オイル流入口171aを介して流入するオイルが流動する流路が形成された軸173と、前記ロータアセンブリ172と共に回転する構造を有し、前記軸173を内部に収容する構造で配置されて軸から排出されるオイルをロータアセンブリの内部に噴射するスピンドルチューブ174と、前記ロータアセンブリの内部空間を上部空間S1と下部空間S2に分離する分離膜175とからなる。
【００４１】
ただし、前記分離膜175を介して下部空間S2に流入するオイル内の不純物をさらに清浄するためのポリエステル又はガラス繊維からなるフィルター層176が、前記分離膜175にさらに設けられる点に、違いがある。
【００４２】
このようなフィルター層176は、流体の流動のための多数の孔175aが穿孔された分離膜175の上端部を包み込むような構造で設けられ、孔175aに流入する流体に含まれる不純物をさらに清浄する機能を有する。
【００４３】
より具体的には、前記フィルター層176は、ポリエステル（Polyester）フィルター又はガラス繊維（Glass  fiber）フィルターを円筒状に形成し、分離膜175の上端部の外側を挟んで固定させる。
【００４４】
一方、前記フィルター層176を形成するポリエステルフィルター又はガラス繊維フィルターは、4μm、6μm、8μm、10μm、15μmのような特定の粒子サイズを有する不純物に対して除去能力を有するフィルターが用いられる。このようなフィルターは、韓国メーカー（コリョフィルター）で製作され、既に販売されているカートリッジフィルターを使用して構成することができる。
【００４５】
このように、ポリエステルフィルター又はガラス繊維フィルターを分離膜175に設け、フィルター層176を形成するにあたって、ポリエステルフィルター又はガラス繊維フィルターを分離膜175に付着させる方式、若しくは、ポリポリエステルフィルター又はガラス繊維フィルターで分離膜175を挟んだ状態でフィルターの離脱を防止するキャップ176-1を分離膜175の上端部に設置する方式で設けられる。
【００４６】
そのため、第3タンク113に流入する前に検証が求められる不純物のサイズに応じて、第2遠心フィルター170のフィルター層176を適切なものに交換するか、又は、清浄が求められる不純物のサイズに対して適切な清浄能力を有するフィルター層が備わった第2遠心フィルター170を前記流路185に装着することによって、使用機器に致命的な損傷を引き起こす可能性がある特定サイズの不純物が取り除かれた流体のみを第3タンク113に伝達することができる。
【００４７】
上記のように構成された第1の実施形態に係る遠心式循環清浄器システムが、第1タンク111の流体を第1遠心フィルター120に循環させて清浄した後、第3タンク113に伝達するプロセスは、上記のコントローラ160を説明する際に、既に説明したので、流体の清浄プロセスに対する説明は省略する。
【００４８】
上述したように、第1の実施形態に係る遠心式循環清浄器システムは、一定量の汚染流体を第2循環タンク112に流入させ、第2循環タンク112の流体を予め設定した時間（または回数）中に第1遠心フィルター120に循環させ、流体に含まれる不純物を清浄する方式であり、流体が循環する時間（または回数）を制御して不純物の除去率を変化させることができるので、最終的に流体が使用される機器に合わせてカスタマイズの不純物除去率を適切に調節することによって、最適な環境を実現することができる利点がある。
【００４９】
また、第3タンク113に流体が流入する前に、第2遠心フィルター170を使用して特定サイズの不純物をさらに清浄することによって、特定サイズの不純物に対する検証または安全機能を提供することができる利点がある。
【００５０】
図5は、本発明の第2の実施形態に係る遠心式循環清浄器システムの構成図を示している。
【００５１】
上記の第2の実施形態に係る遠心式循環清浄器システムは、流体の循環のために別途のタンクを設けず、バルブの操作により流体の流れを制御して、流体が、予め設定された時間の間に、遠心フィルターを数回循環するようたしたものである。
【００５２】
このような第2の実施形態に係る循環式清浄システムは、第1タンク211、第1遠心フィルター220、吸引ポンプ230、サーキュレーションポンプ240、第2タンク212、第2遠心フィルター250、ドレンポンプ260、第1三方弁271、第2三方弁272、タイマー280からなる。
【００５３】
前記第1タンク211は、清浄が求められる汚染流体が保存される空間を提供する。
【００５４】
前記第1遠心フィルター220は、第1タンク211に保存された流体を供給され、これを清浄するものであって、すでに広く使われている公知の遠心フィルターを用いて構成される。
【００５５】
上記吸引ポンプ230は、第1タンク211と第1遠心フィルター220を接続する供給流路291に設けられ、第1タンク211の流体を第1遠心フィルター220に流動させる。
【００５６】
上記のサーキュレーションポンプ240は、第1遠心フィルター220の排出側から延長した排出流路292に設けられ、前記排出流路292は循環流路293を介して供給流路291と接続され、第1遠心フィルター220から排出される流体が再び第1遠心フィルターに循環する仕組みがなされる。
【００５７】
一方、前記排出流路292に設けられたサーキュレーションポンプ240は、第1遠心フィルター220から排出される流体が循環流路293を介して第1遠心フィルター220に循環するように、流体を流動させる。
【００５８】
前記第2タンク212は、排出流路292から分岐した構造で形成された分岐流路294に接続された構造で形成され、第1遠心フィルター220の循環によって清浄した流体が保存される空間を提供する。
【００５９】
前記第2遠心フィルター250は、分枝流路294に設けられ、第2タンク212に流体が流入する前に、流体に含まれる特定サイズの不純物をさらに清浄する。
【００６０】
このような第2遠心フィルター250は、図3を参照して説明した第2遠心フィルター170と同じ遠心フィルターからなるところ、構造の具体的な説明は省略する。
【００６１】
前記ドレンポンプ260は、分枝流路294に設けられ、分岐流路に流入する流体を第2遠心フィルター250と第2タンク212に流動させる。
【００６２】
前記第1三方弁271は、供給流路291と循環流路293の接続部に設けられ、タイマー280の制御を受けて循環流路293側のポートをブロックしたまま、第1タンク211側のポートを開放して、第1タンク211の流体が第1遠心フィルター220に流動するように許可されるか、第1タンク211側のポートをブロックしたまま循環流路293側のポートを開放して、循環流路293と供給流路291を通して流体の循環が行われる。
【００６３】
前記第2の三方弁272は、排出流路292と分岐流路294の接続部に設けられ、タイマー280の制御を受けて分岐流路294側のポートをブロックしたまま、循環流路293側ポートを開放して流体の循環が行われるようにするか、循環流路293側のポートはブロックしたまま、分岐流路294側のポートを開放して、第1遠心フィルター220から排出される流体が第2タンク212に排出されるようにする。
【００６４】
前記タイマー280は、流体が、予め設定された時間の間に、循環流路293と供給流路291と第1遠心フィルター220を循環するように、第1及び第2三方弁271,272を制御する。このようなタイマー280は、第1及び第2三方弁271,272と電気的に接続される。
【００６５】
一方、前記タイマー280は、管理者から事前に時間を設定してもらい、設定された時間に応じて周期的な信号を発生させることになり、このようなタイマー280によって発生する信号によって第1及び第2三方弁271,272が流路を適切に制御することにより、流体の流入と循環と排出が繰り返して行われる。
【００６６】
一方、第1タンク211、第1遠心フィルター220、吸引ポンプ230、サーキュレーションポンプ240、第2タンク212、第2遠心フィルター250、ドレンポンプ260
、第1三方弁271、第2三方弁272、タイマー280を一つのモジュールとして形成し、取り外し清浄システムを構成することもできる。
【００６７】
また、第1タンク211と第2タンク212を接続して、第2タンク212の清浄された流体を第1タンク211に返すように構成することもできる。
【００６８】
上述したように、第1の実施形態と第2の実施形態に係る遠心式循環清浄器システムは、遠心フィルターを用いて流体に含まれる不純物を清浄するが、流体が数回遠心フィルターを通るように循環させることにより、不純物の除去率を容易に向上させることができる利点がある。
【００６９】
このような遠心式循環清浄器システムは、機関に使用されるエンジンオイルの清浄のみに限って使用されるものではなく、様々な産業現場で発生する汚染された水やオイルの清浄にも使用することができる。
【００７０】
本発明は、上述した特定の好ましい実施形態に限定されるものではなく、特許請求の範囲で請求する本発明の要旨を逸脱することなく、当該発明の属する技術分野における通常の知識を有する者であれば誰でも多様な変形実施が可能であることはもちろん、そのような変更は、特許請求の範囲の記載範囲内になる。
【符号の説明】
【００７１】
111：第1タンク
112：第2循環タンク
113：第3タンク
120：第1遠心フィルター
130：吸引ポンプ
140：ドレンポンプ
151：第1バルブ
152：第2バルブ
153：第3バルブ
154：第4バルブ
160：コントローラ
170：第2遠心フィルター
171：ハウジング
172：ロータアセンブリ
173：軸
174：スピンドルチューブ
175：分離膜
176：フィルター層
181：流路
182：流路
184：流路
185：流路
211：第1タンク
212：第2タンク
220：第1遠心フィルター
230：吸引ポンプ
240：サーキュレーションポンプ
250：第2遠心フィルター
260：ドレンポンプ
271：第1三方弁
272：第2三方弁
280：タイマー
291：供給流路
292：排出流路
293：循環流路
294：分枝流路
【図１】
2014205132.tif 000003
【図２】
2014205132.tif 000004
【図３】
2014205132.tif 000005
【図４】
2014205132.tif 000006
【図５】
2014205132.tif 000007